(57)【要約】      （修正有）【課題】容易に携帯することが可能であると共に、非常に異なる使用にも適合するように、現在使用されている装置を大幅に簡略化可能な、呼吸療法のための酸素又は酸素付加空気供給装置を提供する。【解決手段】呼吸療法のための酸素又は酸素付加空気供給装置は、呼吸用フード１と組み合わされて使用されるものであり、流量計量器を経由して酸素供給源に接続されるベンチュリ計量器２と、上記ベンチュリ計量器２に設けられ、流量調整部材１７によって調整される空気取り入れ口１２とを備える。【選択図】図２
2007296359.tif 000002
【特許請求の範囲】
【請求項１】
呼吸用フード(１)と組み合わされて用いられる呼吸療法のための酸素又は酸素付加空気供給装置において、
第１流量計量器(１４)を経由して酸素供給源(１５)に接続されたベンチュリ計量器(２)と、
上記ベンチュリ計量器(２)に設けられ、流量調整部材(１７)により調整可能な空気取り入れ口と
を備えることを特徴とする呼吸療法のための酸素又は酸素付加空気供給装置。
【請求項２】
上記ベンチュリ計量器(２)は、使い捨てタイプであることを特徴とする請求項１に記載の呼吸療法のための酸素又は酸素付加空気供給装置。
【請求項３】
携帯式であることを特徴とする請求項１又は２に記載の呼吸療法のための酸素又は酸素付加空気供給装置。
【請求項４】
上記ベンチュリ計量器(２)は、上記呼吸用フード(１)の供給ポート(３)に取り付けられることを特徴とする請求項１乃至３のいずれかに記載の呼吸療法のための酸素又は酸素付加空気供給装置。
【請求項５】
上記ベンチュリ計量器(２)は、吸入口(１２)に第１酸素供給管(１３)を接続するカップリング(１１)を、その吸入端部に有するボディ(１０)と、上記カップリング(１１)に設けられ、上記流量調整部材(１７)によって調整される開口(１６)とを備えることを特徴とする請求項１乃至４のいずれかに記載の呼吸療法のための酸素又は酸素付加空気供給装置。
【請求項６】
上記流量調整部材は、上記開口(１６)を閉鎖して調整を行うために上記カップリング(１１)に装着可能なキャップ(１７)からなることを特徴とする請求項１乃至５のいずれかに記載の呼吸療法のための酸素又は酸素付加空気供給装置。
【請求項７】
上記ベンチュリ計量器(２)の上記ボディ(１０)に、第２流量計量器により調整される第２酸素供給管を接続するための補助吸入ポート(２０)を有することを特徴とする請求項１乃至６のいずれかに記載の呼吸療法のための酸素又は酸素付加空気供給装置。
【発明の詳細な説明】
【技術分野】
【０００１】
本発明は、呼吸療法のための酸素又は酸素付加空気供給装置に関する。
【背景技術】
【０００２】
現在、既に知られているように、医療環境及び非医療環境において、患者に供給すべき酸素が混入された適切な量の空気を供給するように構成された装置及び／又は機械を必要とする非常時には人工呼吸器が用いられる。このような装置は、現在利用可能な方法の場合、空気供給源と酸素供給源との間の接続を必要とすると共に、供給量及び対応する酸素含有量を調整する装置を必要とするため、固定された据え付け型のものとなっている。
【発明の開示】
【発明が解決しようとする課題】
【０００３】
このため、同じ装置を全ての患者に対して使用しなければならず、このような装置が多目的に使用されることはほとんどない上に、しばしば殺菌処理を行わなければならない。
本発明の狙いは、容易に携帯することが可能であると共に、非常に異なる使用にも適合するように、現在使用されている装置を大幅に簡略化可能な、呼吸療法のための酸素又は酸素付加空気供給装置を提供することにより、上述した課題を解決することにある。
【０００４】
このような狙いのもとで、本発明の目的は、使用される部材が使い捨てタイプのものであることによって、結果的に装置の殺菌工程に関連する全ての作業を簡略化することができる装置を提供することにある。
本発明のもう１つの目的は、その特有の構成上の特徴により、使用時に最大限の信頼性と安全性をもたらすことが可能な装置を提供することにある。
【０００５】
本発明の更なる目的は、一般市場で利用可能な部材及び素材から容易に得ることが可能であると共に、単に経済的観点から見た場合においても競争力のある装置を提供することにある。
【課題を解決するための手段】
【０００６】
このような狙い及び目的、並びに以下で明らかになる別の目的は、本発明による呼吸療法のための酸素又は酸素付加空気供給装置によって達成される。本発明による呼吸療法のための酸素又は酸素付加空気供給装置は、呼吸用フードと組み合わされて用いられる呼吸療法のための酸素又は酸素付加空気供給装置において、流量計量器を経由して酸素供給源に接続されたベンチュリ計量器と、上記ベンチュリ計量器に設けられ、流量調整部材により調整可能な空気取り入れ口とを備えたことを特徴とする。
【発明を実施するための最良の形態】
【０００７】
本発明の更なる特徴及び利点は、限定されない例として添付の図面に例示された呼吸療法のための酸素又は酸素付加空気供給装置の、好ましいが限定されない実施形態の説明から、より明らかとなるであろう。
図を参照すると、本発明による呼吸療法のための酸素又は酸素付加空気供給装置は、呼吸用フード１と組み合わされて用いられるものであって、全般的に符号２で表され、使い捨てタイプという重要な特徴を有したベンチュリ計量器を備える。
【０００８】
もう１つの重要な特徴は、ベンチュリ計量器２が、通常の窒息防止弁を備えたフード１の供給ポート３に直接接続される点にある。
ベンチュリ計量器２はボディ１０を備えている。このボディ１０は、その吸入端部において、ポート即ち吸入口１２に第１酸素供給管１３を接続するためのカップリング１１を備えており、酸素供給管１３は、酸素を供給するボンベ１５のような酸素供給源やその他の適切な供給源に、第１流量計を経由して公知の方法で接続されている。
【０００９】
カップリング本体１１には開口１６が設けられており、空気を付加したくない場合に、カップリング本体１１に装着して上記開口１６を塞ぐことが可能である一方で、カップリング本体１１から取り外し、酸素の流れに所定量の空気を混合させるベンチュリ効果を得ることが可能な、キャップ１７からなる流量調整部材によって開口１６が調整されるようになっている。
【００１０】
また、ベンチュリ計量器２のボディ１０には、第２酸素供給管２１を接続するための補助吸入ポート２０が設けられており、ボンベ１５又は他の適切な供給源に接続された第２流量計量器２２によって補助吸入ポート２０への酸素供給量が調整されるようになっている。
上述した構成により、空気と酸素との混合量を任意に所定量に調整可能となる。
【００１１】
空気と酸素とを混合する必要がない場合には、開口１６を閉鎖するようにキャップ１７の位置を維持するだけで十分であり、この場合、患者には１００％の酸素が供給される。
空気と酸素との混合比率はベンチュリ計量器の構造によって定まるものであるため、キャップ１７を取り去ることにより、酸素の流量とは無関係に、比率が一定の空気及び酸素の混合物が得られる。必須ではないが、空気と酸素との混合比率は１：４とされるのが好ましい。
【００１２】
酸素の比率を変更するため、第２酸素供給管２１を用い、追加の酸素を任意に導入することも可能であり、ベンチュリ計量器のメイン吸入口から流入して空気が混入された酸素に追加の酸素を混合することにより、空気と酸素との混合率を変更することができる。
以上の説明により、提案された狙い及び目的が本発明によって達成されることが明らかとなり、特に、フードに直接接続される特徴を有した使い捨てタイプのベンチュリ計量器を使用することが可能な装置が提供されるという事実が強調される。このため、ベンチュリ計量器をフードに組み込むことにより、必要とされる空気と酸素との混合比率を達成する酸素ボンベまたは他の適正な供給源を有していればよいことになり、装置が携帯可能となることに加え、現在使用されている装置の全体構成を簡略化することができる。
【００１３】
また、ベンチュリ計量器をプラスチック製とすることにより、使い捨てタイプとすることが可能となり、装置の維持管理や較正、殺菌に関連する全ての問題を解消することができる。
使用される素材は、付随する形状及び寸法のほか、特定の使用に適合するものでさえあれば、必要に応じていかなるものであっても良い。
【図面の簡単な説明】
【００１４】
【図１】本発明による装置の概略図である。
【図２】酸素のみを供給する状態にあるベンチュリ計量器の断面図である。
【図３】添加空気と共に酸素を供給する状態にあるベンチュリ計量器の断面図である。
【符号の説明】
【００１５】
１  呼吸用フード
２  ベンチュリ計量器
３  供給ポート
１０  ボディ
１１  カップリング
１２  吸入口
１３  第１酸素供給管
１４  第１流量計量器
１５  ボンベ（酸素供給源）
１６  開口
１７  キャップ（流量調整部材）
２０  補助吸入ポート
２１  第２酸素供給管
２２  第２流量計量器
【図１】
2007296359.tif 000003
【図２】
2007296359.tif 000004
【図３】
2007296359.tif 000005